【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
グラフィカルユーザインターフェース（ＧＵＩ）を有する１又は複数のソフトウエアがＧＵＩを表示している画面に追加でＧＵＩを表示し、それに関するコンピュータに対する操作を実行させる、表示・実行操作補助プログラムであって、
参照画像、追加ＧＵＩの画像、該追加ＧＵＩの指定表示位置情報、及び、該追加ＧＵＩが実行する操作が保存された追加ＧＵＩ情報保持部にアクセス可能なコンピュータを、
a) モニタ上に表示されている前記ＧＵＩ中で、前記参照画像と一致する画像である検出画像を検出し、その表示位置を特定する参照画像検出部と、
b) 前記検出画像及び／又はその表示位置の情報に基づき、該検出画像を表示しているソフトウエアである対象ソフトウエアを特定する対象ソフトウエア特定部と、
c) 前記検出画像が検出されたとき、前記追加ＧＵＩ情報保持部を参照し、追加ＧＵＩの指定表示位置に前記追加ＧＵＩを重畳表示する追加ＧＵＩ表示部と、
d) 前記追加ＧＵＩに対してユーザからの入力操作があったことを受けて、前記追加ＧＵＩ情報保持部を参照して、該追加ＧＵＩの実行する操作を、前記対象ソフトウエアに対して実行するコマンド実行部と、
して動作させることを特徴とする表示・実行操作補助プログラム。
【請求項２】
前記対象ソフトウエア特定部及び前記追加ＧＵＩ表示部が、予め定められた時間間隔で、及び／又は、予め定められた操作が入力されたことに基づき、動作することを特徴とする請求項１に記載の表示・実行操作補助プログラム。
【請求項３】
前記コンピュータを更に、
予め定められた複数の段階毎に、前記追加ＧＵＩ表示部に追加ＧＵＩを前記追加ＧＵＩの所定の表示位置に表示させ、予め定められた入力操作が行われたことに基づき、及び／又は所定のタイミングで、次の段階に進むＧＵＩ段階表示部
として動作させることを特徴とする請求項１又は２に記載の表示・実行操作補助プログラム。
【請求項４】
前記追加ＧＵＩは、説明用文字列、及び／又は枠であり、少なくとも該枠に対して行われる入力操作は、該枠の背面に位置する前記対象ソフトウエアに対して行われたものとして認識される
ことを特徴とする請求項１から３のいずれかに記載の表示・実行操作補助プログラム。
【請求項５】
前記参照画像の存在を検出することができなかった場合に、前記追加ＧＵＩ表示部が、モニタのデスクトップの所定領域に、別途、操作ガイドに関する説明を表示する
ことを特徴とする請求項１から４のいずれかに記載の表示・実行操作補助プログラム。
【手続補正２】
【補正対象書類名】明細書
【補正対象項目名】００１１
【補正方法】変更
【補正の内容】
【００１１】
上記課題を解決するために成された本発明は、
グラフィカルユーザインターフェース（ＧＵＩ）を有する１又は複数のソフトウエアがＧＵＩを表示している画面に追加でＧＵＩを表示し、それに関するコンピュータに対する操作を実行させる、表示・実行操作補助プログラムであって、
参照画像、追加ＧＵＩの画像、該追加ＧＵＩの指定表示位置情報、及び、該追加ＧＵＩが実行する操作が保存された追加ＧＵＩ情報保持部にアクセス可能なコンピュータを、
a) モニタ上に表示されている前記ＧＵＩ中で、前記参照画像と一致する画像である検出画像を検出し、その表示位置を特定する参照画像検出部と、
b) 前記検出画像及び／又はその表示位置の情報に基づき、該検出画像を表示しているソフトウエアである対象ソフトウエアを特定する対象ソフトウエア特定部と、
c) 前記検出画像が検出されたとき、前記追加ＧＵＩ情報保持部を参照し、追加ＧＵＩの指定表示位置に前記追加ＧＵＩを重畳表示する追加ＧＵＩ表示部と、
d) 前記追加ＧＵＩに対してユーザからの入力操作があったことを受けて、前記追加ＧＵＩ情報保持部を参照して、該追加ＧＵＩの実行する操作を、前記対象ソフトウエアに対して実行するコマンド実行部と、
して動作させることを特徴とする。
【手続補正３】
【補正対象書類名】明細書
【補正対象項目名】００２０
【補正方法】変更
【補正の内容】
【００２０】
表示・実行操作補助プログラム３の構成について説明する。表示・実行操作補助プログラム３は、参照画像検出部４、対象ソフトウエア特定部５、追加ＧＵＩ表示部６、コマンド実行部７、から構成される。これら参照画像検出部４、対象ソフトウエア特定部５、追加ＧＵＩ表示部６、コマンド実行部７はいずれも測定制御システム１（ＰＣ）上でソフトウエア的に具現化される。
【手続補正４】
【補正対象書類名】明細書
【補正対象項目名】００２９
【補正方法】変更
【補正の内容】
【００２９】
ステップＳ２において参照画像検出部４が表示部８上で前記測定装置制御ソフトウエア１０が表示されていることを検出できなかった場合には、表示・実行操作補助プログラム３は処理を終了し、所定時間が経過した後、または所定のタイミングで再度動作を開始する（ステップＳ２で「ＮＯ」）。
【手続補正５】
【補正対象書類名】明細書
【補正対象項目名】００３４
【補正方法】変更
【補正の内容】
【００３４】
図５〜図７は、表示部８内の測定装置制御ソフトウエアウインドウ４１に対して追加ＧＵＩが重畳表示されている状態の画面例である。図５の例では、追加ＧＵＩである上下矢印５１が重畳表示されている。図６の例では、図５の例とは異なる位置に上下矢印５１が重畳表示されている。図７の例では、「装置パラメータ編集」「スタートアップ」「システムチェック」という複数（３つ）のコマンドが記載されたコマンドセット５２が追加ＧＵＩとして表示されている。
【手続補正６】
【補正対象書類名】明細書
【補正対象項目名】００４８
【補正方法】変更
【補正の内容】
【００４８】
本実施形態における測定制御システム１の構成は、上述した実施例１の場合と基本的にはほぼ同一であるが、ＧＵＩ段階表示部１５が設けられる。このＧＵＩ段階表示部１５は、表示・実行操作補助プログラム３が実行されることでソフトウエア的に具現化される構成である。
また、操作ガイドが複数の段階から構成される場合には、追加ＧＵＩ情報保持部１１において、段階毎に追加ＧＵＩの情報と参照画像が保存される（詳細は後述する）。また、追加ＧＵＩ情報保持部１１には、次の段階に進む契機となるトリガー情報も含まれる（詳細は後述する）。
【手続補正７】
【補正対象書類名】明細書
【補正対象項目名】００５４
【補正方法】変更
【補正の内容】
【００５４】
（ステップＳ１４）ＧＵＩ段階表示部１５は、追加ＧＵＩ情報保持部１１を参照して、第二段階移行のトリガーが、「データ処理パラメータ(N)」なる文字列の検出であることを認識する。
ユーザが「メソッド(M)」という文字列を囲む枠の中で入力部９を介してクリック動作を行うと、「データ処理パラメータ(N)」なる文字列が測定装置制御ソフトウエアウインドウ４１上において表示される。
（ステップＳ１５）ＧＵＩ段階表示部１５は、ステップＳ１５において、第一段階が最後の段階（第七段階）でないことに基づき（ステップＳ１５で「ＮＯ」）、ステップＳ１６に進む。
【手続補正８】
【補正対象書類名】明細書
【補正対象項目名】００６７
【補正方法】変更
【補正の内容】
【００６７】
１…測定制御システム
３…表示・実行操作補助プログラム
４…参照画像検出部
５…対象ソフトウエア特定部
６…追加ＧＵＩ表示部
７…コマンド実行部
８…表示部
９…入力部
１０…測定装置制御ソフトウエア
１１…追加ＧＵＩ情報保持部
１５…ＧＵＩ段階表示部
２０…測定装置
３１…第一参照画像
３２…第二参照画像
４０…デスクトップイメージ
４１…測定装置制御ソフトウエアウインドウ
５１…上下矢印（追加ＧＵＩ）
５２…コマンドセット（追加ＧＵＩ）